(57)【要約】      （修正有）【課題】取り替えを簡便とし、気軽に取り替えることができるランドセル用カバーを提供する。【解決手段】ランドセル２の取付金具２５に結着するための結び紐１１を、ランドセル用カバー１の本体の上端部１０２に取り付けるとともに、ランドセル２の冠２０を差し通すための差込シート部材１２を、ランドセル用カバー１の裏面側に取り付ける。【選択図】図３
0003177880.tif 000002
【実用新案登録請求の範囲】
【請求項１】
ランドセルの冠表面を被覆する矩形シート状の本体を備えるランドセル用カバーにおいて、
前記本体は、
前記ランドセルの冠を装飾するための意匠が施された本体表面と、
前記本体の上端部から延び出し、前記ランドセルの背負い紐の取付金具に結着可能な複数の結び紐と、
左右両縁が前記本体裏面側の左右両端部に縫着され、該本体の裏面との間に生じた空間に前記ランドセルの冠を差し通して固定する差込シート部材と
を備えることを特徴とするランドセル用カバー。
【請求項２】
前記差込シート部材は、前記本体裏面側の全周端部と一致するように重ね合わせた状態で、少なくとも左右両縁が前記本体裏面側の左右両端部に縫着され、その表面には前記ランドセルの冠を装飾するための意匠が施されていることを特徴とする請求項１に記載のランドセル用カバー。
【請求項３】
前記差込シート部材は、少なくとも下端部から前記左右両縁にかけて略コの字型に非縫着部分が形成されていることを特徴とする請求項２に記載のランドセル用カバー。
【考案の詳細な説明】
【技術分野】
【０００１】
本考案は、ランドセルの冠表面を被覆する矩形シート状の本体を備えるランドセル用カバーに関する。
【背景技術】
【０００２】
従来、ランドセルの冠（かぶせ）を雨水や汚れや傷などから保護することを目的として、ランドセルの冠表面に被覆するシート状の本体を備えるランドセル用カバーが存在する（例えば、特許文献１）。
【先行技術文献】
【特許文献】
【０００３】
【特許文献１】特開２０１１−３０９８６号公報
【考案の概要】
【考案が解決しようとする課題】
【０００４】
ところで、ランドセルは、学童により小学一年生から六年生までの六年間、毎日使用されるため、これを保護するためのランドセル用カバーは、傷みが早く、新しいものに取り替える必要がある。
【０００５】
また、市場にあっては、ランドセル用カバーの意匠を用いてランドセルを装飾することが行われており、ランドセル用カバーを取り替えることにより、ランドセルの装飾を気軽に変更させることが行われている。
【０００６】
しかしながら、特許文献１に記載されているランドセル用カバーにあっては、カバーの上端部に設けられた固定用の環状部材の環の中に、ランドセルの背当て部の取付金具から外した背負い紐の一端を差し通し、この状態で、背負い紐の一端を取付金具に再度接続して、ランドセルに固定する。
【０００７】
このように、従来のランドセル用カバーの取り替えるが複雑であり、特に、低学年の学童にとって背負い紐の着脱が困難であることから、ランドセル用カバーを気軽に取り替えるという市場の要求に対応していない。
【０００８】
本考案は、かかる事情を鑑みてなされたものであり、ランドセルの取付金具に結着するための結び紐を、ランドセル用カバーの本体の上端部に取り付けるとともに、ランドセルの冠を差し通すための差込シート部材を、ランドセル用カバーの裏面側に取り付けることにより、ランドセル用カバーの取り替えを簡便とし、気軽に取り替えることができるランドセル用カバーを提供することを目的とする。
【課題を解決するための手段】
【０００９】
本願請求項１に係るランドセル用カバーは、ランドセルの冠表面を被覆する矩形シート状の本体を備えるランドセル用カバーにおいて、前記本体は、前記ランドセルの冠を装飾するための意匠が施された本体表面と、前記本体の上端部から延び出し、前記ランドセルの背負い紐の取付金具に結着可能な複数の結び紐と、左右両縁が前記本体裏面側の左右両端部に縫着され、該本体の裏面との間に生じた空間に前記ランドセルの冠を差し通して固定する差込シート部材とを備えることを特徴とする。
【００１０】
本考案にあっては、本体表面にランドセルの冠を装飾するための意匠が施されていることにより、ランドセル用カバーの意匠を用いてランドセルを気軽に装飾することができる。
また、本考案にあっては、本体の上端部から複数の結び紐が延び出ていることにより、結び紐をランドセルの取付金具に結着することができ、簡便にランドセルへの固定が可能となる。
また、本考案にあっては、本体の裏面側の左右両端部に差込シート部材の左右両縁を縫着させることにより、差込シート部材と本体裏面との間にランドセルの冠を差し通すことができ、簡便にランドセルへの固定が可能となる。
【００１１】
また、本願請求項２に係るランドセル用カバーは、前記差込シート部材は、前記本体裏面側の全周端部と一致するように重ね合わせた状態で、少なくとも左右両縁が前記本体裏面側の左右両端部に縫着され、その表面には前記ランドセルの冠を装飾するための意匠が施されていることを特徴とする。
【００１２】
本考案にあっては、差込シート部材の全周端部と本体裏面の全周端部とが一致するように重なり合う状態で縫着されていることにより、差込シート部材と本体との大きさ及び形状が略同一に形成され、本体表面を裏返すことで、差込シート部材側でランドセルの冠全体を覆うことができる。
また、本考案にあっては、差込シート部材の表面に本体表面に施された意匠と異なる別の意匠が施されていることにより、本体表面を裏返すことで、本体表面に施された意匠とは異なる意匠を用いて、ランドセルの冠表面を装飾することができる。
【００１３】
更にまた、本願請求項３に係るランドセル用カバーは、前記差込シート部材は、少なくとも下端部から前記左右両縁にかけて略コの字型に非縫着部分が形成されていることを特徴とする。
【００１４】
本考案にあっては、本体裏面と差込シート部材との間で、差込シート部材の下端部から左右両縁にかけて略コの字型を描くように縫着されていない部分が存在することにより、本体及び差込シート部材の下端部付近が、軽く舞うようにめくれるようになり、差込シート部材と本体裏面との間に差し通されたランドセルの冠の下端側から延び出るベロの湾曲を邪魔しないようにできる。
【考案の効果】
【００１５】
ランドセル用カバーの取り替えを簡便にすることができ、特に、低学年の学童がランドセル用カバーを気軽に取り替えることができ、市場の要求に対応することができる。
【図面の簡単な説明】
【００１６】
【図１】本考案に係るランドセル用カバーの構成を示す、本体表面側から見た図である。
【図２】図１のランドセル用カバーの構成を示す、差込シート部材の表面側から見た図である。
【図３】図１のランドセル用カバーをランドセルに取り付けた状態を示す図である。
【図４】図１とは異なる形態のランドセル用カバーの構成を示す、本体表面側から見た図である。
【図５】図４のランドセル用カバーの構成を示す、差込シート部材の表面側から見た図である。
【図６】図４のランドセル用カバーをランドセルに取り付けた状態を示す図である。
【考案を実施するための形態】
【００１７】
実施の形態１．
本考案に係るランドセル用カバーについて、本実施の形態を示す図面に基づいて以下説明する。図１は本考案に係るランドセル用カバーの構成を示す、本体表面側から見た図であり、図２は図１に係るランドセル用カバーの構成を示す、差込シート部材の表面側から見た図である。図中、１は、ランドセル用カバーである。ランドセル用カバー１は、ランドセル２の冠２０の表面２００を覆うようにランドセル２に着脱可能に取り付けられる。
【００１８】
ランドセル用カバー１は、矩形シート状の本体１０を備える。本体１０は、ランドセル２の冠２０と略同一の大きさ及び形状を有する厚手のシートである。本体１０は、例えば、プラスチックフォーム材により形成されており、ランドセル２の冠２０の湾曲に倣って湾曲する程度の可撓性を有している。具体的には、本体１０は、耐久性、衝撃吸収性及び意匠性の観点から、エチレン−酢酸ビニル共重合体（ＥＶＡ）により形成されていることが好ましい。
【００１９】
本体１０は、ランドセル２の冠２０の表面２００と対向する本体裏面１０１と、その反対面である本体表面１００とを備える。本体表面１００には、学童が好む模様や色彩などの意匠Ｄが施され、ランドセル２の冠２０を装飾する。本体１０は、周端部が上端部１０２、左右両端部１０３及び下端部１０４に分かれている。本体１０は、全周端部に沿って厚手の帯状布が取り付けられ、全体表面１００側及び本体裏面１０１側から縫着されている。
【００２０】
本体１０は、全体表面１００側から、左右両端部１０３及び下端部１０４に沿ってひだ飾りの帯状布１４が縫着されている。本体１０は、上端部１０２の略中央付近に複数の結び紐１１の基端が縫着され、各結び紐１１が縫着位置から外方に延び出ている。
【００２１】
本体１０は、全体裏面１０１側から、左右両端部１０３の中程よりやや下端部１０４側の箇所に帯状の差込シート部材１２が縫着されている。差込シート部材１２は、シートの左右両縁１２３が、本体１０の左右両端部１０３に密着するように縫着され、縫着箇所以外のシート裏面１２１が、本体１０の本体裏面１０１と密着することなく、差込用空間１３を形成している。
【００２２】
図３は図１に係るランドセル用カバーをランドセルに取り付けた状態を示す図である。ランドセル２は、冠２０を含めた全体が皮革や合成皮革により形成されている。冠２０は、ランドセル２の左右寸法と略等しい幅寸法を備え、上端部２０２がランドセル２の上面開口部２１の背当て部２２側の縁に止着され、下端部２０３にベロ２０４が取り付けられている。
【００２３】
ベロ２０４は、先端に被留付部（図示せず）が設けられ、ランドセル２の底部に設けられた錠前（図示せず）に留め付け可能になっている。冠２０は、ランドセル２の上面開口部２１から前面２３（背当て部２２の反対側）までの範囲を覆う長さを備えている。冠２０は、裏面２０１が、ランドセル２の前面２３と密着しておらず、僅かな隙間２０５が形成されている。
【００２４】
ランドセル用カバー１は、ランドセル２の冠２０の下端部２０３が、差込用空間１３に差し込まれ、本体１０の上端部１０２が冠２０の上端部２０２の位置に達するまで差し込まれる。
【００２５】
ランドセル用カバー１は、各結び紐１１が、ランドセル２の背当て部２２に設けられた背負い紐２４の取付金具２５（環状金具）に通され、紐の端と端とが結びつけられて取付金具２５に固定される。
【００２６】
このとき、ランドセル２の冠２０のベロ２０４は、ランドセル用カバー１の差込シート部材１２の下端部１２４から突き出ているため、カバーに阻害されることなく湾曲して、被留付部がランドセル２の錠前に留め付く。
【００２７】
実施の形態２．
上述する実施の形態１にあっては、「帯状の差込シート部材１２」を一例として説明した。しかしながら、本考案は、これに限定されることなく、重ね合わせた状態で、本体１０の全周端部と一致する形状及び大きさを有する差込シート部材１２であってもよい。以下、実施の形態１と異なる箇所のみを説明する。
【００２８】
図４は図１とは異なるランドセル用カバーの構成を示す、本体表面側から見た図であり、図５は図４のランドセル用カバーの構成を示す、差込シート部材の表面側から見た図である。
【００２９】
実施の形態２において、差込シート部材１２は、本体１０と大きさ及び形状を略同一であり、更に、本体１０と同様にプラスチックフォーム材により形成され、ランドセル２の冠２０の湾曲に倣って湾曲する程度の可撓性を有している。
【００３０】
差込シート部材１２は、本体１０の本体裏面１０１と対向するシート裏面１２１と、その反対面であるシート表面１２０とを備える。シート表面１２０は、ランドセル２の冠２０を装飾するための意匠が施されており、具体的には、本体表面１００に施された意匠とは異なる別の意匠が施されている。
【００３１】
差込シート部材１２は、周端部が上端部１２２、左右両縁１２３及び下端部１２４に分かれている。差込シート部材１２は、全周端部に沿って厚手の帯状布が取り付けられ、シート表面１２０側及びシート裏面１２１側から縫着されている。
【００３２】
差込シート部材１２は、本体１０と同様、シート表面１２０側から、左右両縁１２３及び下端部１２４に沿ってひだ飾りの帯状布１５が縫着されている。差込シート部材１２は、本体１０と同様、上端部１２２の略中央付近に複数の結び紐１６の基端が縫着され、各結び紐１６が縫着位置から外方に延び出ている。
【００３３】
差込シート部材１２は、自らの全周端部が本体１０の全周端部と一致するように重ね合わされ、その左右両縁１２３がそれぞれ本体１０の左右両端部１０３に縫着される。また、差込シート部材１２は、上端部１２２、及び、左右両縁１２３の中程より下側から下端部１２４にかけて縫着されることなく開口状態になっている。具体的には、差込シート部材１２は、略コの字型を描くように左右両縁１２３から下端部１２４にかけて縫着されておらず、下端部１２４が軽く舞うようにめくれるになっている。縫着箇所以外のシート裏面１２１と本体１０の本体裏面１０１との間は、密着しておらず、差込用空間１７が形成されている。
【００３４】
図６は図４に係るランドセル用カバーをランドセルに取り付けた状態を示す図である。ランドセル用カバー１は、ランドセル２の冠２０の下端部２０３が差込用空間１７に差し込まれ、本体１０の上端部１０２及び差込シート部材１２の上端部１２２が、冠２０の上端部２０２の位置に達するまで差し込まれる。
【００３５】
ランドセル用カバー１は、各結び紐１１が、ランドセル２の背当て部２２に設けられた背負い紐２４の取付金具２５に通され、紐の端と端とが結びつけられて取付金具２５に固定される。
【００３６】
このとき、ランドセル２の冠２０のベロ２０４は、差込シート部材１２の下端部１２４がランドセル２側に巻き込まれることにより、カバーに阻害されることなく湾曲し、被留付部がランドセル２の錠前に留め付く。
【００３７】
また、実施の形態２においては、本体１０の本体表面１００に施されている意匠から差込シート部材１２のシート表面１２０に施されている意匠へと容易に入れ替えることができる。
【００３８】
ランドセル用カバー１は、各結び紐１１の結びが取付金具２５から解除され、ランドセル２の冠２０から抜き取られる。ランドセル用カバー１は、本体１０の本体表面１００がランドセル２側を向くように裏返される。
【００３９】
ランドセル用カバー１は、裏返しの状態で、ランドセル２の冠２０の下端部２０３が差込用空間１７に差し込まれ、差込シート部材１２の上端部１２２及び本体１０の上端部１０２が冠２０の上端部２０２の位置に達するまで差し込まれる。
【００４０】
ランドセル用カバー１は、各結び紐１６がランドセル２の背当て部２２に設けられた背負い紐２４の取付金具２５に通され、紐の端と端とが結びつけられることにより、取付金具２５に固定される。
【００４１】
このとき、ランドセル２の冠２０のベロ２０４は、本体１０側の下端部１０４がランドセル２側に巻き込まれることにより、カバーに阻害されることなく湾曲し、被留付部がランドセル２の錠前に留め付く。
【符号の説明】
【００４２】
１  ランドセル用カバー
１０  本体
１００  本体表面
１０１  本体裏面
１０２  本体の上端部
１０３  本体の左右両端部
１０４  本体の下端部
１１  結び紐
１２  差込シート部材
１２０  シート表面
１２１  シート裏面
１２２  差込シート部材の上端部
１２３  差込シート部材の左右両縁
１２４  差込シート部材の下端部
１３  差込用空間
１４  ひだ飾りの帯状布
１５  ひだ飾りの帯状布
１６  結び紐
１７  差込用空間
２  ランドセル
２０  冠
２００  冠の表面
２０１  冠の裏面
２０２  冠の上端部
２０３  冠の下端部
２０４  ベロ
２１  ランドセルの上面開口部
２２  背当て部
２３  ランドセルの前面
２４  ランドセルのマチ
２５  取付金具
【図１】
0003177880.tif 000003
【図２】
0003177880.tif 000004
【図３】
0003177880.tif 000005
【図４】
0003177880.tif 000006
【図５】
0003177880.tif 000007
【図６】
0003177880.tif 000008